(57)【特許請求の範囲】
【請求項１】
外部からカップ側壁を透して内部の飲み薬を見ることが可能なカップと、
外部からボトル側壁を透して内部の飲み薬を見ることが可能で投薬キャップが取り付けられたボトルとからなり、
前記カップは、前記カップ側壁に、
患者が飲み薬を１回に飲む量を計量する計量表示を有し、
前記ボトルは、前記ボトル側壁に、
患者が飲み薬を飲む日数の薬量を１日毎に１回で飲む量で区分して表示する複数の投薬量表示目盛と、
前記投薬量表示目盛に応じて患者が飲む日数を表示した投薬日数表示と、を有し、
前記ボトルの１回で飲む量の区分の投薬量表示目盛に示される飲み薬の量を、前記カップの計量表示に示される飲み薬の量と一致させるように注入することを特徴とするカップ付きボトル。
【請求項２】
外部からカップ側壁を透して内部の飲み薬を見ることが可能なカップと、
外部からボトル側壁を透して内部の飲み薬を見ることが可能で投薬キャップが取り付けられたボトルとからなり、
前記カップは、前記カップ側壁に、
患者が飲み薬を１回に飲む量を表示した複数の計量表示と、
前記計量表示に応じて患者が飲む日数を表示した飲む日数表示と、
を有し、
前記ボトルは、前記ボトル側壁に、
患者が飲み薬を飲む日数の薬量を１日毎に１回で飲む量で区分して表示する複数の投薬量表示目盛と、
前記投薬量表示目盛に応じて患者が飲む日数を表示した投薬日数表示と、を有し、
前記ボトルの１回で飲む量の区分の投薬量表示目盛に示される飲み薬の量を、前記カップの計量表示に示される飲み薬の量と一致させるように注入することを特徴とするカップ付きボトル。
【請求項３】
前記ボトルは、樹脂で形成され、前記ボトル側壁が指の押し圧力で撓み変形可能であり、
前記カップは、前記投薬キャップを覆うように前記ボトルに着脱可能で、
前記カップを前記ボトルに装着した状態で、前記カップの底部に形成した突起が、前記投薬キャップのノズル開口を密封し、
前記カップを前記ボトルから離脱した状態で、前記カップの底部に形成した突起が、前記投薬キャップのノズル開口を開放し、
前記ボトル側壁を指の押し圧力で撓み変形させ、前記投薬キャップのノズル開口から飲み薬を前記カップに注入することを特徴とする請求項１または請求項２に記載のカップ付きボトル。
【発明の詳細な説明】
【技術分野】
【０００１】
この発明は、病院などで患者に与える飲み薬の計量を兼ねたカップ付きボトルに関する。
【背景技術】
【０００２】
病院などで患者に与える飲み薬はボトルに入れ、このボトルには目盛が入っており、例えば看護師が患者に目盛に基づいて計量して飲むように教え、患者は指定された時間毎に目盛に基づいて計量し、カップに入れて飲んでいる。また、患者に与える飲み薬の計量を兼ねたカップがあり（特許文献１）、患者はボトルから計量を兼ねたカップに入れて飲んでいる。
【先行技術文献】
【特許文献】
【０００３】
【特許文献１】特開２００３−７２７６８号公報
【発明の概要】
【発明が解決しようとする課題】
【０００４】
従来のボトルには蓋が取り付けられており、使用時に蓋を外して投薬キャップを取り付け、患者が１回に飲む量をボトルの目盛に基づいてカップに所定量を入れている。また、ボトルに投薬キャップを取り付けたものがあるが、投薬キャップには蓋が取り付けられており、使用時に蓋を外して患者が１回に飲む量をボトルの目盛に基づいてカップに所定量を入れている。
【０００５】
このように、従来のボトルでは、使用時に蓋を取り外したり、投薬キャップの蓋を取り外す必要があり、さらに飲み薬の計量を行うカップが必要であり、取り扱いが面倒である。
【０００６】
この発明は、このような実情に鑑みてなされたもので、取り扱いが容易で、患者が飲み薬を、正確かつ容易に計量して飲むことが可能なカップ付きボトルを提供することを目的とする。
【課題を解決するための手段】
【０００７】
前記課題を解決し、かつ目的を達成するために、この発明は、以下のように構成した。
【０００８】
請求項１に記載の発明は、外部からカップ側壁を透して内部の飲み薬を見ることが可能なカップと、外部からボトル側壁を透して内部の飲み薬を見ることが可能で投薬キャップが取り付けられたボトルとからなり、
前記カップは、前記カップ側壁に、患者が飲み薬を１回に飲む量を計量する計量表示を有し、前記ボトルは、前記ボトル側壁に、患者が飲み薬を飲む日数の薬量を１日毎に１回で飲む量で区分して表示する複数の投薬量表示目盛と、前記投薬量表示目盛に応じて患者が飲む日数を表示した投薬日数表示と、を有し、前記ボトルの１回で飲む量の区分の投薬量表示目盛に示される飲み薬の量を、前記カップの計量表示に示される飲み薬の量と一致させるように注入することを特徴とするカップ付きボトルである。
【０００９】
請求項２に記載の発明は、外部からカップ側壁を透して内部の飲み薬を見ることが可能なカップと、外部からボトル側壁を透して内部の飲み薬を見ることが可能で投薬キャップが取り付けられたボトルとからなり、
前記カップは、前記カップ側壁に、患者が飲み薬を１回に飲む量を表示した複数の計量表示と、前記計量表示に応じて患者が飲む日数を表示した飲む日数表示と、を有し、前記ボトルは、前記ボトル側壁に、患者が飲み薬を飲む日数の薬量を１日毎に１回で飲む量で区分して表示する複数の投薬量表示目盛と、前記投薬量表示目盛に応じて患者が飲む日数を表示した投薬日数表示と、を有し、前記ボトルの１回で飲む量の区分の投薬量表示目盛に示される飲み薬の量を、前記カップの計量表示に示される飲み薬の量と一致させるように注入することを特徴とするカップ付きボトルである。
【００１０】
請求項３に記載の発明は、前記ボトルは、樹脂で形成され、前記ボトル側壁が指の押し圧力で撓み変形可能であり、
前記カップは、前記投薬キャップを覆うように前記ボトルに着脱可能で、
前記カップを前記ボトルに装着した状態で、前記カップの底部に形成した突起が、前記投薬キャップのノズル開口を密封し、
前記カップを前記ボトルから離脱した状態で、前記カップの底部に形成した突起が、前記投薬キャップのノズル開口を開放し、
前記ボトル側壁を指の押し圧力で撓み変形させ、前記投薬キャップのノズル開口から飲み薬を前記カップに注入することを特徴とする請求項１または請求項２に記載のカップ付きボトルである。
【発明の効果】
【００１１】
前記構成により、この発明は、以下のような効果を有する。
【００１３】
請求項１乃至請求項３に記載の発明は、ボトルの１回で飲む量の区分の投薬量表示目盛に示される飲み薬の量を、カップの計量表示に示される飲み薬の量と一致させるように注入し、カップに正確な量の飲み薬を注入することができる。
【図面の簡単な説明】
【００１４】
【図１】カップ付きボトルの正面図である。
【図２】カップ付きボトルの断面図である。
【図３】カップとボトルの正面図である。
【図４】ボトルの投薬量表示目盛と投薬日数表示を示す展開図である。
【図５】カップ付きボトルの使用状態を示す斜視図である。
【図６】カップ付きボトルの正面図である。
【図７】カップとボトルの正面図である。
【図８】カップの計量表示と日数表示を示す展開図である。
【図９】カップ付きボトルの使用状態を示す斜視図である。
【発明を実施するための形態】
【００１５】
以下、この発明のカップ付きボトルの実施の形態について説明する。この発明の実施の形態は、発明の最も好ましい形態を示すものであり、この発明はこれに限定されない。
【００１６】
［第１の実施の形態のカップ付きボトル］
（カップ付きボトルの構造）
この実施の形態のカップ付きボトルを、図１乃至図３に示す。図１はカップ付きボトルの正面図、図２はカップ付きボトルの断面図、図３はカップとボトルの正面図、図４はボトルの投薬量表示目盛と投薬日数表示を示す展開図である。
【００１７】
この実施の形態のカップ付きボトル１は、外部からカップ側壁を透して内部の飲み薬を見ることが可能なカップ１０と、外部からボトル側壁を透して内部の飲み薬を見ることが可能で投薬キャップ２１が取り付けられたボトル２０とからなる。
【００１８】
カップ１０は、透明の樹脂で形成され、外部からカップ側壁を透して内部の飲み薬を見ることが可能でれば、半透明でもよい。また、カップ１０の大きさや形状も患者が飲み薬を飲むことが可能であれば特に限定されないが、投薬キャップ２１を覆うようにボトル２０に着脱可能に構成される。
【００１９】
カップ１０は、開口部に螺旋部１０ａが形成され、底部には中心部に突起１０ｂが形成されている。また、カップ側壁には、患者が飲み薬を１回に飲む量を計量する計量表示１１を有し、この計量表示１１は、カップ１０の高さ方向の直線部１１ａと、この直線部１１ａに沿って形成された目盛線部１１ｂからなる。この計量表示１１は、肉眼で容易に見ることができる構造であればよく、プリント、刻印などで形成される。
【００２０】
ボトル２０は、外部からボトル側壁を透して内部の飲み薬を見ることが可能であり、透明の樹脂で形成され、ボトル側壁が指の押し圧力で撓み変形可能である。このボトル２０は、外部からボトル側壁を透して内部の飲み薬を見ることが可能でれば、半透明でもよい。また、ボトル２０の大きさや形状もカップ１０に応じて患者が飲み薬を飲む量に貯留可能であれば特に限定されない。
【００２１】
このボトル２０には、蓋取付部２０ａが形成され、この蓋取付部２０ａにカップ１０の螺旋部１０ａを螺着される。ボトル２０は、ボトル側壁に患者が飲み薬を飲む日数の薬量を１日毎に１回で飲む量で区分して表示する複数の投薬量表示目盛２２と、投薬量表示目盛２２に応じて患者が飲む日数を表示した投薬日数表示２３とを有する。
【００２２】
投薬量表示目盛２２は、ボトル底部から高さ方向に伸びる直線部２２ａと、この直線部２２ａに設けた１日毎の目盛２２ｂ及び１回で飲む量の目盛２２ｃで構成され、この投薬量表示目盛２２は刻印、印字などによって形成してもよく、肉眼で容易に見ることができる構造であればよい。
【００２３】
投薬日数表示２３は、投薬量表示目盛２２に対応して数字２３ａで構成され、この投薬日数表示２３日は刻印、印字などによって形成してもよく、肉眼で容易に見ることができる構造であればよい。
【００２４】
このボトル２０の１回で飲む量の区分の投薬量表示目盛２２に示され、この１回で飲む量の目盛２２ｃに示される飲み薬の量が、カップ１０の計量表示に示される飲み薬の量が一致する。
【００２５】
投薬キャップ２１は、樹脂で一体に成形され、蓋取付部２０ａに取り付け可能な取付部２１ａと、ボトル２０から飲み薬をカップ１０に注入可能なノズル部２１ｂとを有する。
【００２６】
ノズル部２１ｂは、円錐筒状であり、取付部２１ａからノズル部２１ｂに連通して注入通路２１ｃが形成されている。ノズル部２１ｂの先端部には、ノズル開口２１ｄが形成され、注入通路２１ｃからの飲み薬がノズル開口２１ｄからカップ１０に注入される。
【００２７】
取付部２１ａは、ボトル２０の蓋取付部２０ａの内側に圧入される挿入部２１ａ１と、蓋取付部２０ａの外側に圧入される覆い部２１ａ２とを有する。ボトル２０の蓋取付部２０ａに取付部２１ａを取り付けることで、挿入部２１ａ１と覆い部２１ａ２が蓋取付部２０ａに密着され、飲み薬の漏れがなくなる。
【００２８】
このように、カップ１０をボトル２０に装着した状態で、カップ１０の底部に形成した突起１０ｂが、投薬キャップ２１のノズル開口２１ｄを密封し、カップ１０をボトル２０から離脱した状態で、カップ１０の底部に形成した突起１０ｂが、投薬キャップ２１のノズル開口２１ｄを開放する。
【００２９】
（カップ付きボトルの使用）
次に、カップ付きボトルの使用を、図５に基づいて説明する。図５はカップ付きボトルの使用状態を示す斜視図である。
【００３０】
この実施の形態のカップ付きボトル１は、病院などで患者に与える飲み薬は予めボトル２０に入れられ、カップ１０をボトル２０に装着した状態であり、カップ１０の底部に形成した突起１０ｂが、投薬キャップ２１のノズル開口２１ｄを密封している。ボトル２０は、外部からボトル側壁を透して内部の飲み薬を見ることが可能であり、投薬量表示目盛２２から患者が飲み薬を飲む日数の薬量を１日毎に１回で飲む量を知ることができる。また、投薬日数表示２３から投薬量表示目盛２２に応じて患者が飲む日数を知ることができる。
【００３１】
使用時には、カップ１０を取り外すと、カップ１０をボトル２０から離脱した状態であり、カップ１０の底部に形成した突起１０ｂが、投薬キャップ２１のノズル開口２１ｄを開放する。そして、ボトル２０のボトル側壁を指の押し圧力で撓み変形させ、投薬キャップ２１のノズル開口２１ｄから飲み薬をカップ１０に注入することができる。
【００３２】
このようにボトル２０は、指によって外圧を与えると、この外圧によりボトル２０が撓み、ボトル２０の内部の飲み薬が投薬キャップ２１のノズル部２１ｂから吐出し、カップ１０に注入される。ノズル部２１ｂを用いることで、静かに少しずつ注入できることで、カップ１０によって正確に計量することができる。仮に、カップ１０に注入した飲み薬の量が多い場合には、指によってボトル２０に外圧を与えて撓ませ、ノズル部２１ｂを飲み薬に入れた状態で外圧を開放するとノズル部２１ｂから飲み薬をボトル２０の内部に吸入し、カップ１０に正確な量の飲み薬を注入し、計量表示１１により飲み薬を、正確かつ容易に計量して飲むことができる。
【００３３】
ボトル２０の投薬量表示目盛２２は、ボトル底部から高さ方向に伸びる直線部２２ａと、この直線部２２ａに設けた１日毎の目盛２２ｂ及び１回で飲む量の目盛２２ｃで構成され、細長い線状であり、かつ１目盛が量り易い上、見易い。また、投薬量表示目盛２２は、複数独立して表示され、分かり易い。
【００３４】
［第２の実施の形態のカップ付きボトル］
（カップ付きボトルの構造）
この実施の形態のカップ付きボトルを、図６乃至図８に示す。図６はカップ付きボトルの正面図、図７はカップとボトルの正面図、図８はカップの計量表示と日数表示を示す展開図である。
【００３５】
この実施の形態のカップ付きボトル１は、外部からカップ側壁を透して内部の飲み薬を見ることが可能なカップ１０と、外部からボトル側壁を透して内部の飲み薬を見ることが可能で投薬キャップ２１が取り付けられたボトル２０とからなり、ボトル２０は第１の実施の形態と同様に構成されるから同じ符号を付して説明を省略する。
【００３６】
カップ１０も第１の実施の形態と同様に形成される構成は、同じ符号付して説明を省略するが、この実施の形態では、カップ側壁に、患者が飲み薬を１回に飲む量を表示した複数の計量表示３２と、計量表示に応じて患者が飲む日数を表示した飲む日数表示３３とを有する。
【００３７】
計量表示３２は、カップ底部から高さ方向に伸びる直線部３２ａと、この直線部３２ａの上端から水平方向に伸びる直線部３２ｂで構成され、この計量表示３２はカップ側壁に刻印して着色して形成されるが、刻印、印字などによって形成してもよく、肉眼で容易に見ることができる構造であればよい。
【００３８】
日数表示３３は、計量表示３２に対応して表示される数字３３ａで構成され、この日数表示３３はカップ側壁に刻印して着色して形成されるが、刻印、印字などによって形成してもよく、肉眼で容易に見ることができる構造であればよい。
【００３９】
（カップ付きボトルの使用）
次に、カップ付きボトルの使用を、図９に基づいて説明する。図９はカップ付きボトルの使用状態を示す斜視図である。
【００４０】
この実施の形態のカップ付きボトル１は、第１の実施の形態と同様に使用されるが、例えば、５日分の投薬をする場合、ボトル２０の投薬日数表示２３が「５の数字」で示される投薬量表示目盛２２を見て、投薬量表示目盛２２の１回で飲む量の区分の投薬量を、カップ１０に入れる。このとき、カップ１０のカップ側壁の日数表示３３が「５の数字」で示される計量表示３２に合わせて飲み薬を入れる。
【００４１】
また、例えば、３日分の投薬をする場合、ボトル２０の投薬日数表示２３が「３の数字」で示される投薬量表示目盛２２を見て、カップ１０のカップ側壁の日数表示３３が「３の数字」で示される計量表示３２に合わせて飲み薬を入れる。
【００４２】
このように、外部からボトル側壁を透して内部の飲み薬を見ることが可能なボトル２０は、投薬量表示目盛２２から患者が飲み薬を飲む日数の薬量を１日毎に１回で飲む量を知ることができ、また投薬日数表示２３から投薬量表示目盛２２に応じて患者が飲む日数を知ることができる。このボトル２０の１回で飲む量の区分の投薬量表示目盛２２に示される飲み薬の量が、カップ１０の計量表示３２に示される飲み薬の量が一致することから、ボトル２０から飲み薬をカップ１０に入れ、計量表示３２により飲み薬を、正確かつ容易に計量して飲むことができる。      
【００４３】
また、ボトル２０の投薬日数表示２３が示す「数字」と、カップ１０の日数表示３３が示す「数字」が同じなので、患者が理解しやすく、間違うことがない。
【産業上の利用可能性】
【００４４】
この発明は、病院などで患者に与える飲み薬の計量を兼ねたカップ付きボトルに適用され、患者が飲み薬を、正確かつ容易に計量して飲むことが可能である。
【符号の説明】
【００４５】
１  カップ付きボトル
１０  カップ
１０ａ  螺旋部
１０ｂ  突起
１１  計量表示
１１ａ  直線部
１１ｂ  目盛線部
２０  ボトル
２０ａ  蓋取付部
２１  投薬キャップ
２１ａ  取付部
２１ｂ  ノズル部
２１ｃ  注入通路
２１ｄ  ノズル開口
２２  投薬量表示目盛
２２ａ  直線部
２２ｂ  目盛
２２ｃ  投薬日数表示
２３ａ  数字
３２  計量表示
３３  日数表示
【図１】
0005822270.tif 000002
【図２】
0005822270.tif 000003
【図３】
0005822270.tif 000004
【図４】
0005822270.tif 000005
【図５】
0005822270.tif 000006
【図６】
0005822270.tif 000007
【図７】
0005822270.tif 000008
【図８】
0005822270.tif 000009
【図９】
0005822270.tif 000010